(57)【要約】【課題】ボールねじ軸の長さが長い場合でも多くの手間や労力を要することなく、しかもボールねじ軸の外径面やボールねじ溝に損傷を与えたりすることなくボールねじナットがボールねじ軸から抜け出ることを防止することのできるボールねじ用抜け止め具を提供する。【解決手段】ボールねじ用抜け止め具は、相対向する二つのプレート部１１ａ，１１ｂと、これらのプレート部１１ａと１１ｂとの間にボールねじナット２１を跨いで掛け渡されたブリッジ部１２と、このブリッジ部１２に設けられた取っ手部１３とから構成される。そして、プレート部１１ａ，１１ｂ、ブリッジ部１２および取っ手部１３はアクリル樹脂等の樹脂で形成され、プレート部１１ａ，１１ｂには、ボールねじナット２１の両端から突出するボールねじ軸２２に係合してボールねじ軸２２を挟持する凹状挟持部が設けられている。【選択図】  図１
2004316817.tif 000002
【特許請求の範囲】
【請求項１】
ボールねじナットの両端から突出するボールねじ軸に係合して該ボールねじ軸を狭持する凹状挟持部をそれぞれ有する二つの樹脂製プレート部と、これらのプレート部の間に前記ボールねじナットを跨いで掛け渡された樹脂製ブリッジ部と、このブリッジ部に設けられた樹脂製取っ手部とからなることを特徴とするボールねじ用抜け止め具。
【請求項２】
前記プレート部の厚さを前記ボールねじ軸の外径面に形成されたボールねじ溝の溝幅よりも小さくしたことを特徴とする請求項１記載のボールねじ用抜け止め具。
【請求項３】
前記凹状挟持部の中心を前記ボールねじ軸の中心から左右にオフセットしたことを特徴とする請求項１または２記載のボールねじ用抜け止め具。
【発明の詳細な説明】
【０００１】
【発明の属する技術分野】
本発明は、ボールねじの出荷時にボールねじナットがボールねじ軸から抜け出ることを防止するためのボールねじ用抜け止め具に関する。
【０００２】
【従来の技術】
モータ等の回転運動を直線運動に変換する機械部品として自動車や各種産業機械などで用いられるボールねじは、ボールねじ軸と、このボールねじ軸の外径面に形成されたボールねじ溝と対向するボールねじ溝を内径面に有するボールねじナットと、このボールねじナットとボールねじ軸との間に組み込まれた多数のボールとを備えて構成されており、このようなボールねじを出荷する場合には、振動等によりボールねじナットがボールねじ軸から抜け出てバラバラに分解された状態とならないようにする必要がある。そこで、従来では、ボールねじナットがボールねじ軸から抜け出るのを防止する治具として、図５に示すような金属製のホースクリップＨＣを使用し、このホースクリップＨＣをボールねじ軸にボールねじナットを挟むように装着して、ボールねじナットがボールねじ軸から抜け出るのを防いでいる。
【０００３】
【発明が解決しようとする課題】
しかしながら、ホースクリップＨＣをボールねじ軸に装着するためには、ホースクリップＨＣの内径をボールねじ軸の外径より大きく拡げておき、ホースクリップＨＣをボールねじ軸の一端側から装着しなければならない。このため、ボールねじ軸の長さが短い場合にはよいが、ボールねじ軸の長さが長い場合にはホースクリップの装着に多くの手間と労力を要するという問題があった。また、ボールねじナットがボールねじ軸から抜け出るのを防止する治具としてホースクリップを使用した場合には、ボールねじ軸の外径面やボールねじ溝がホースクリップによって損傷することがあった。
【０００４】
本発明は、このような問題点に着目してなされたものであり、ボールねじ軸の長さが長い場合でも多くの手間や労力を要することなく、しかもボールねじ軸の外径面やボールねじ溝に損傷を与えたりすることなくボールねじナットがボールねじ軸から抜け出ることを防止することのできるボールねじ用抜け止め具を提供することを目的とするものである。
【０００５】
【課題を解決するための手段】
上記の目的を達成するために、請求項１の発明に係るボールねじ用抜け止め具は、ボールねじナットの両端から突出するボールねじ軸に係合して該ボールねじ軸を狭持する凹状挟持部をそれぞれ有する二つの樹脂製プレート部と、これらのプレート部の間に前記ボールねじナットを跨いで掛け渡された樹脂製ブリッジ部と、このブリッジ部に設けられた樹脂製取っ手部とからなることを特徴とする。
【０００６】
このような構成によると、プレート部の凹状挟持部をボールねじナットの両端から突出するボールねじ軸に係合させるだけでボールねじ軸に装着できるので、ボールねじ軸の長さが長い場合でも多くの手間や労力を要することなくボールねじナットがボールねじ軸から抜け出ることを防止することができる。また、プレート部、ブリッジ部および取っ手部が樹脂で形成されているので、ボールねじ軸の外径面やボールねじ溝に損傷を与えたりすることなくボールねじナットがボールねじ軸から抜け出ることを防止することができる。
【０００７】
請求項２の発明に係るボールねじ用抜け止め具は、請求項１記載のボールねじ用抜け止め具において、前記プレート部の厚さを前記ボールねじ軸の外径面に形成されたボールねじ溝の溝幅よりも小さくしたことを特徴とするものであり、このような構成を採用することによって、凹状挟持部の一部がボールねじ軸の外径面に形成されたボールねじ溝に係合するので、ボールねじナットがボールねじ軸から抜け出ることを確実に防止することができる。
【０００８】
請求項３の発明に係るボールねじ用抜け止め具は、請求項１または２記載のボールねじ用抜け止め具において、前記凹状挟持部の中心を前記ボールねじ軸の中心から左右にオフセットしたことを特徴とするものであり、このような構成を採用することによって、凹状挟持部の一部がボールねじ軸の外径面に形成されたボールねじ溝に係合するので、ボールねじナットがボールねじ軸から抜け出ることを確実に防止することができる。
【０００９】
【発明の実施の形態】
以下、図面を参照して本発明の実施の形態について説明する。
図１乃至図３は本発明の第１の実施形態を示す図であり、図１及び図２に示すように、本発明の第１の実施形態に係るボールねじ用抜け止め具は、相対向する二つのプレート部１１ａ，１１ｂと、これらのプレート部１１ａと１１ｂとの間にボールねじナット２１を跨いで掛け渡されたブリッジ部１２と、このブリッジ部１２に設けられた取っ手部１３とから構成されている。
【００１０】
プレート部１１ａ，１１ｂ、ブリッジ部１２および取っ手部１３は、アクリル樹脂等の樹脂で形成されており、プレート部１１ａ，１１ｂには、ボールねじナット２１の両端から突出するボールねじ軸２２に係合してボールねじ軸２２を挟持する凹状挟持部１４ａ，１４ｂ（１４ｂは図１参照）が設けられている。また、プレート部１１ａ，１１ｂはボールねじナット２１の端面に接触または近接しており、これらプレート部１１ａ，１１ｂの厚さは、ボールねじ軸２２の外径面に形成されたボールねじ溝２３の溝幅よりも小さく形成されている。
【００１１】
凹状挟持部１４ａ，１４ｂは、プレート部１１ａ，１１ｂの中央部からブリッジ部１２と反対側のプレート部１１ａ，１１ｂの端部に向かって形成されている。また、凹状挟持部１４ａ，１４ｂはボールねじ軸２２の外径よりも小さい開口幅でほぼＵ字状に形成されており、これら凹状挟持部１４ａ，１４ｂの中心ＯＡ，ＯＢ（図３参照）は、ボールねじ軸２２の中心からボールねじ溝２３の深さ分だけ左右にオフセットされた位置に設けられている。
【００１２】
このように構成される第１の実施形態では、プレート部１１ａ，１１ｂの凹状挟持部１４ａ，１４ｂをボールねじナット２１の両端から突出するボールねじ軸２２に係合させるだけでボールねじ軸２２に装着できるので、ボールねじ軸２２の長さが長い場合でも多くの手間や労力を要することなくボールねじナット２１がボールねじ軸２２から抜け出ることを防止することができる。また、プレート部１１ａ，１１ｂ、ブリッジ部１２および取っ手部１３がアクリル樹脂等の樹脂で形成されているので、ボールねじ軸２２の外径面やボールねじ溝２３に損傷を与えたりすることなくボールねじナット２１がボールねじ軸２２から抜け出ることを防止することができると共に軽量化を図ることができる。さらに、ボールねじを各種の機械に組み付ける際に、取っ手部１３を手で持ってボールねじを各種の機械に容易に組み付けることができる。
【００１３】
また、上述した第１の実施形態では、プレート部１１ａ，１１ｂの厚さをボールねじ溝２３の溝幅よりも小さくしたことで、凹状挟持部１４ａ，１４ｂの一部がボールねじ溝２３に係合するので、ボールねじナット２１がボールねじ軸２２から抜け出ることを確実に防止することができる。さらに、凹状挟持部１４ａ，１４ｂの中心ＯＡ，ＯＢをボールねじ軸２２の中心からボールねじ溝２３の深さ分だけ左右にオフセットされた位置に設けたことで、凹状挟持部１４ａ，１４ｂの一部がボールねじ溝２３に係合するので、ボールねじナット２１がボールねじ軸２２から抜け出ることを確実に防止することができる。
【００１４】
なお、本発明は上述した実施形態に限定されるものではない。たとえば、上述した第１の実施形態では凹状挟持部１４ａ，１４ｂの形状を左右対称の形状としたが、図４に示す第２の実施形態のように、凹状挟持部１４ａ，１４ｂの形状を左右で非対称の形状としてもよい。
【００１５】
【発明の効果】
以上説明したように、請求項１の発明に係るボールねじ用抜け止め具によれば、プレート部の凹状挟持部をボールねじナットの両端から突出するボールねじ軸に係合させるだけでボールねじ軸に装着できるので、ボールねじ軸の長さが長い場合でも多くの手間や労力を要することなくボールねじナットがボールねじ軸から抜け出ることを防止することができる。また、プレート部、ブリッジ部および取っ手部が樹脂で形成されているので、ボールねじ軸の外径面やボールねじ溝に損傷を与えたりすることなくボールねじナットがボールねじ軸から抜け出ることを防止することができる。さらに、ボールねじを各種の機械に組み付ける際に、取っ手部を手で持ってボールねじを各種の機械に容易に組み付けることができる。
請求項２及び３の発明に係るボールねじ用抜け止め具によれば、凹状挟持部の一部がボールねじ軸の外径面に形成されたボールねじ溝に係合するので、ボールねじナットがボールねじ軸から抜け出ることを確実に防止することができる。
【図面の簡単な説明】
【図１】本発明の第１の実施形態に係るボールねじ用抜け止め具を示す図で、（ａ）は正面図、（ｂ）は左側面図、（ｃ）は右側面図、（ｄ）は底面図である。
【図２】図１のボールねじ用抜け止め具をボールねじに装着した状態を示す図で、（ａ）は正面図、（ｂ）は側面図、（ｃ）は底面図である。
【図３】図１に示すボールねじ用抜け止め具の部分側面図である。
【図４】本発明の第２の実施形態に係るボールねじ用抜け止め具を示す図で、（ａ）は正面図、（ｂ）は左側面図、（ｃ）は右側面図、（ｄ）は底面図である。
【図５】ボールねじの分解防止治具として使用されるホースクリップの斜視図である。
【符号の説明】
１１ａ，１１ｂ    プレート部
１２    ブリッジ部
１３    取っ手部
１４ａ，１４ｂ    凹状挟持部
２１    ボールねじナット
２２    ボールねじ軸
２３    ボールねじ溝
【図１】
2004316817.tif 000003
【図２】
2004316817.tif 000004
【図３】
2004316817.tif 000005
【図４】
2004316817.tif 000006
【図５】
2004316817.tif 000007